(57)【特許請求の範囲】
【請求項１】
正面視で、正面側に位置する前面と裏面側に位置する後面と、前記前面と後面とを接続する一対の側面とを有するケーシングを備え、
前記ケーシングの底面に、ガス入管を接続するガス入側接続部とガス出管を接続するガス出側接続部を有し、
計量したガスの積算流量を表示する表示部を備えたガスメータであって、
前記一対の側面の双方に、前記ケーシングの前記一対の側面を内外に貫通する状態で前記ケーシングを貫通する単一の回動軸を回動自在に支持する支点部が設けられ、前記回動軸における前記ケーシングの外側部分に、前記回動軸と一体回動自在に接続された左右一対のアームが設けられ、
前記左右一対のアームにおける前記支点部とは逆の端部同士が、長尺板状の接続部材にて接続され、前記表示部が、前記接続部材に支持され、
前記回動軸の回動に従って前記表示部が前記前面の前面側、あるいは、前記後面の裏面側に配置可能に構成され、
前記表示部が前記前面の前面側に位置し、前記ガス入側接続部及び前記ガス出側接続部がケーシング下側に位置する第１姿勢と、
前記表示部が前記後面の裏面側に位置し、前記ガス入側接続部及び前記ガス出側接続部がケーシング上側に位置する第２姿勢との間で、姿勢切換可能に構成されているガスメータ。
【請求項２】
正立姿勢にて震動を感知可能な感震器が前記回動軸と一体回動する状態で設けられ、
前記感震器が震動を感知したときに、前記ガス入管から前記ガス出管へのガスの通流を遮断するように構成されている請求項１記載のガスメータ。
【請求項３】
前記ケーシングにおける前記底面に対向する壁面が、前記表示部の回動軌跡に沿う半円筒状に形成されている請求項１又は２記載のガスメータ。
【請求項４】
前記表示部を、前記第１姿勢又は前記第２姿勢のいずれかに保持する係止部が設けられている請求項１〜３のいずれか１項に記載のガスメータ。
【発明の詳細な説明】
【技術分野】
【０００１】
本発明は、正面視で、正面側に位置する前面と裏面側に位置する後面と、前記前面と後面とを接続する一対の側面とを有するケーシングを備え、前記ケーシングの底面に、ガス入管を接続するガス入側接続部とガス出管を接続するガス出側接続部を有し、計量したガスの積算流量を表示する表示部を備えたガスメータに関する。
【背景技術】
【０００２】
ガス事業者から需要家に供給されるガスの各需要家における使用量を計測するためのガスメータは、各需要家における家屋の壁面付近等に設置されている。このようなガスメータには、ダイヤフラムで分割された一対の計量室に交互にガスを導入又は排出し、それに伴うダイヤフラムの往復運動をクランクで回転運動に変換して機械式表示部にてガスの供給量を表示する膜式ガスメータや、管内を通過するガスに対して、その上流側から下流側に向けて、及び、下流側から上流側に向けて通過する超音波の伝播時間の差異を計測することで管内のガス流量を計測する超音波式ガスメータ等がある。
【０００３】
これらのうち、従来使用されていた膜式ガスメータは、その構造上、図６に示すように、ガス入側接続部２１Ｓ及びガス出側接続部２２Ｓ、表示機構２００H、並びに、図示しない遮断弁等の機構を備える第１ケーシング２１０をガスメータ上部に位置させ、計量室を備える第２ケーシング２２０を下部に位置させる必要があるため、膜式ガスメータ２００の上方からガス入管及びガス出管を接続する必要があった。
しかしながら、ガス管（特に本管からガス入側接続部２１Ｓまでの間のガス入管２１）は一般に地中に埋設されるものであるため、膜式ガスメータ２００の上部にガス入管２１及びガス出管２２を位置させるようにすると、ガス管を地中からガスメータ設置箇所における膜式ガスメータ２００の上方まで立ち上げる必要があり配管作業が煩雑になるとともに、ガス管を一旦立ち上げた後、ガス入管２１及びガス出管２２のガスメータ接続側端部を膜式ガスメータ２００に接続すべく下方に折り返す必要があり、例えばガス入管２１及びガス出管２２が膜式ガスメータ２００の背面側から上部に至る状態で設置される場合には、ガス管の径だけ膜式ガスメータ２００が前面に突出する状態となって、ガスメータの設置に必要なスペースが大きくなるという問題があった。
また、膜式ガスメータ２００の周囲に、ガス管（ガス入管及びガス出管）が複数の折曲部を有する状態で配設されるため、美観を損ねるという問題もあった。
【０００４】
これに対して、膜式ではないガスメータ、例えば上記超音波式ガスメータは、上述の膜式ガスメータのように計量室を備える第２ケーシングを備える必要がなく、ガスメータの上下を逆転させてもガス流量の計測には支障を来さないものである。つまり、ガス入側接続部及びガス出側接続部をガスメータにおける計測部の上部に位置させるか下部に位置させるかについて任意に構成することができる。しかしながら、ガス入側接続部及びガス出側接続部をガスメータの上部に位置するように構成したものと、下部に位置するように構成したものとを夫々製品化すると、夫々に対する部品の製造が必要になるため、製造コストが高くなったり、在庫の管理が煩雑化したりする等の問題があった。そこで、従来、一つの筐体で、ガス入側接続部及びガス出側接続部をガスメータの上方側又は下方側のいずれにも位置させることができるように構成されたものがあった（例えば、特許文献１参照）。
【先行技術文献】
【特許文献】
【０００５】
【特許文献１】特開２００５−１７２４７９号公報
【発明の概要】
【発明が解決しようとする課題】
【０００６】
図７に、上記特許文献１に示された超音波式ガスメータの構成を説明する模式図を示す。超音波式ガスメータ１００は、一端側にガス入側接続部２１Ｓを備える入側管部１０１、一端側にガス出側接続部２２Ｓを備える出側管部１０２、及び、入側管部１０１及び出側管部１０２の他端側同士を連接する連結管部１０３によって略Ｕ字状に形成されたガス流路部１００Ｕをケーシング１００Ｃの内部に備えている。入側管部１０１には、その内部を通流するガスを遮断する遮断弁１００Ｖが設けられ、信号用導線で制御基板１００Ｐに電気的に接続されている。また、ケーシング１００Ｃは、設置時に前面となる部分が開口するケーシング本体と、その開口部を覆うケーシング蓋部とから構成されている。ケーシング本体とケーシング蓋部とは、相互の上下（天地）を逆転させても取付け可能な形状に形成されている。
なお、ガスメータにおいては、上記ガス入側接続部とガス出側接続部に対してガス入管とガス出管を逆に接続すると危険であるため、ガス入側接続部２１Ｓを正面視で左側に位置させ、ガス出側接続部２２Ｓを同右側に位置させるように定められていることから、ケーシング本体には、正面視で入側管部１０１が左側に、出側管部１０２が右側に位置するように取付けられる。
【０００７】
連結管部１０３には、例えば超音波式の流量計測器が備えられている。超音波式の流量計測器は、図示は省略するが、上流側端部に超音波受発信部が設けられ、下流側端部に超音波受発信部が設けられている。超音波受発信部及び超音波受発信部は、信号用導線で制御基板１００Ｐに電気的に接続され、上流側の超音波受発信部から発せられて超音波受発信部に至る超音波の伝播時間と、下流側の超音波受発信部から発せられて超音波受発信部に至る超音波の伝播時間との差より、連結管部１０３を通過するガスの瞬間流量を算出し、その瞬間流量からガスの積算流量を算出するものである。
【０００８】
ケーシング１００Ｃの内部には、正立姿勢で震動を検知可能な感震器１００Ｋが取付け自在に構成されている。感震器１００Ｋは、信号用導線で制御基板１００Ｐと電気的に接続され、震動を検知すると制御基板１００Ｐに検知信号が入力されるようになっている。また、制御基板１００Ｐに実装されている制御用ＩＣ（制御部）が、感震器１００Ｋの検知信号に基づいて遮断弁１００Ｖを閉止してガス流路部１００Ｕのガスの通流を遮断するようになっている。
【０００９】
制御基板１００Ｐには、算出したガスの積算供給量を表示する液晶等の表示部１００Ｈが実装され、ケーシング蓋部におけるケーシング１００Ｃ内方側に固定的に取付けられている。また、ケーシング蓋部における液晶表示部１００Ｈに対応する位置に、その表示内容をケーシング１００Ｃ外部から視認可能な窓部１００Ｗが設けられている。ケーシング本体はケーシング蓋部に対して、その上下を逆転させた状態でも取付け可能に構成されている。
また、ケーシング１００Ｃの上面又は下面の一方には、ケーシング１００Ｃ内外を連通する孔部１００Ｇが設けられ、ガス入側接続部２１Ｓ及びガス出側接続部２２Ｓをケーシング１００Ｃ内部から外部に延出可能に構成されている。
【００１０】
このように構成されるガスメータ１００について、ガス入管２１及びガス出管２２を当該ガスメータ１００の上部側から接続する場合には、図８（ａ）に示すように、ケーシング本体を、孔部１００Ｇがケーシング１００Ｃの上面側に位置する状態となる状態とし、ガス流路部１００Ｕを、ガス入側接続部２１Ｓ及びガス出側接続部２２Ｓを上端側とする状態で、かつ、正面視で左側に入側管部１０１が位置し、右側に出側管部１０２が位置する状態となる状態でケーシング本体に取付け、さらに、感震器１００Ｋを正立姿勢とする状態でケーシング本体に取付けて、ケーシング蓋部を、表示部１００Ｈの表示が適正となる状態でケーシング本体に取付けるように構成されている。
また、ガス入管２１及びガス出管２２を当該ガスメータ１００の下部側から接続する場合には、図８（ｂ）に示すように、ケーシング本体を、孔部１００Ｇがケーシング１００Ｃの下面側に位置する状態となる状態とし、ガス流路部１００Ｕを、ガス入側接続部２１Ｓ及びガス出側接続部２２Ｓを下端側とする状態で、かつ、正面視で左側に入側管部１０１が位置し、右側に出側管部１０２が位置する状態となる状態でケーシング本体に取付け、さらに、感震器１００Ｋを正立姿勢とする状態でケーシング本体に取付けて、ケーシング蓋部を、表示部１００Ｈの表示が適正となる状態でケーシング本体に取付けるように構成されている。
【００１１】
上述のように、特許文献１によれば、ガス入管２１及びガス出管２２を当該ガスメータ１００の上部側から接続する場合、及び、下部側から接続する場合いずれの場合も、表示部において上下が正しい状態で適正に表示することが可能であり、さらに、感震器１００Ｋが正常に震動を検知できるものでありながら、夫々の場合において異なるケーシング本体を用意する必要がなく、製造コストの低減が可能となる。
しかしながら、このような構成では、ガス入管２１及びガス出管２２を当該ガスメータ１００の上部側から接続する場合と下部側から接続する場合とで、ガスメータ１００を分解してケーシング本体からケーシング蓋部、ガス流路部１００Ｕ、及び感震器１００Ｋを取り外した上で、目的の姿勢にて表示部１００Ｈでの表示が適切な状態となるようにケーシング本体に対してガス流路部１００Ｕ、感震器１００Ｋ、及び、ケーシング蓋部を取付け直す必要があり、ガス入管及びガス出管をガスメータの上部側から接続する姿勢と下部側から接続する姿勢とに切換える際に手間がかかるものとなっていた。
【００１２】
本発明は、上記実情に鑑みてなされたものであり、その目的は、表示部におけるガスの積算流量の表示が適切に行える状態としながら、ガス入管及びガス出管をガスメータの上部側から接続する姿勢と下部側から接続する姿勢とに容易に切換えることが可能なガスメータを提供する点にある。
【課題を解決するための手段】
【００１３】
上記目的を達成するための本発明に係るガスメータの第１特徴構成は、正面視で、正面側に位置する前面と裏面側に位置する後面と、前記前面と後面とを接続する一対の側面とを有するケーシングを備え、前記ケーシングの底面に、ガス入管を接続するガス入側接続部とガス出管を接続するガス出側接続部を有し、計量したガスの積算流量を表示する表示部を備えたものであって、
前記一対の側面の双方に、前記ケーシングの前記一対の側面を内外に貫通する状態で前記ケーシングを貫通する単一の回動軸を回動自在に支持する支点部が設けられ、前記回動軸における前記ケーシングの外側部分に、前記回動軸と一体回動自在に接続された左右一対のアームが設けられ、前記左右一対のアームにおける前記支点部とは逆の端部同士が、長尺板状の接続部材にて接続され、前記表示部が、前記接続部材に支持され、前記回動軸の回動に従って前記表示部が前記前面の前面側、あるいは、前記後面の裏面側に配置可能に構成され、前記表示部が前記前面の前面側に位置し、前記ガス入側接続部及び前記ガス出側接続部がケーシング下側に位置する第１姿勢と、前記表示部が前記後面の裏面側に位置し、前記ガス入側接続部及び前記ガス出側接続部がケーシング上側に位置する第２姿勢との間で、姿勢切換可能に構成されている点にある。
【００１４】
すなわち、ケーシングにおける一対の側面の双方に、支点部に回動自在に支持された回動軸が設けられ、ケーシングの外側部分に、回動軸と一体回動自在に接続されたアームが設けられ、表示部が、そのアームに支持されるものであるから、ガス入側接続部を正面視で左側に位置させ、ガス出側接続部を正面視で右側に位置させた状態で、ガスメータの姿勢を、ガス入側接続部及びガス出側接続部がケーシング下側に位置する姿勢とガス入側接続部及びガス出側接続部がケーシング上側に位置する姿勢との間で切換えた場合にも、アームを回動軸周りに回動させるという簡単な操作によって、表示部が前面側に位置する状態に容易に切換えることが可能となる。
【００１５】
説明を加えると、ガスメータにおいては、ガス入側接続部とガス出側接続部に対してガス入管とガス出管を逆に接続すると危険であるため、ガス入側接続部を正面視で左側に位置させ、ガス出側接続部を同右側に位置させるように定められている。このため、ガス入側接続部を正面視で左側に位置させ、且つ、ガス出側接続部を正面視で右側に位置させた状態で、ガスメータの姿勢を、ガス入側接続部及びガス出側接続部がケーシング下側に位置する姿勢とガス入側接続部及びガス出側接続部がケーシング上側に位置する姿勢との間で切換えると、前面と後面とが互いに入れ替わる状態になる。表示部は、姿勢切換え前には、正面視で視認可能とすべく前面の前面側に位置する状態としているため、上記のようにガス入側接続部及びガス出側接続部がケーシング下側に位置する姿勢とガス入側接続部及びガス出側接続部がケーシング上側に位置する姿勢との間で切換えたのみでは、表示部が正面視で裏面側に位置することになり、視認できない状態となる。
【００１６】
第１特徴構成によれば、上述のように、ガス入側接続部及びガス出側接続部がケーシング下側に位置する姿勢とガス入側接続部及びガス出側接続部がケーシング上側に位置する姿勢との間で切換えたときには、アームを回動軸周りに回動させることによって、表示部を前面の前面側に位置する状態と、後面の裏面側に位置する状態とに容易に切換えることができるため、ガス入管及びガス出管を当該ガスメータの下部側から接続する場合には、表示部が前面の前面側に位置し、ガス入用接続部及びガス出用接続部がケーシング下側に位置する第１姿勢とすることで、表示部を正面視で視認可能な状態とすることができる。また、ガス入管及びガス出管を当該ガスメータの上部側から接続する場合には、表示部が後面の裏面側に位置し、ガス入用接続部及びガス出用接続部がケーシング上側に位置する第２姿勢とすることで、表示部を正面視で視認可能な状態とすることができる。そして、これら第１姿勢と第２姿勢とを、アームを回動軸周りに回動させるという簡単な操作によって容易に切換えることができる。
【００１７】
要するに、第１特徴構成によれば、表示部におけるガス流量の表示が適切に行える状態としながら、ガス入管及びガス出管をガスメータの上部側から接続する姿勢と下部側から接続する姿勢とに容易に切換えることが可能なガスメータを提供することができる。
【００１８】
本発明に係るガスメータの第２特徴構成は、上記第１特徴構成に加えて、正立姿勢にて震動を感知可能な感震器が前記回動軸と一体回動する状態で設けられ、前記感震器が震動を感知したときに、前記ガス入管から前記ガス出管へのガスの通流を遮断するように構成されている点にある。
【００１９】
すなわち、正立姿勢にて震動を感知可能な感震器が、回動軸と一体回動するものであるから、ガスメータを第１姿勢と第２姿勢とに切換えたときにおいても、表示部と連動して感震器を正立姿勢とすることができる。したがって、ガスメータの姿勢を切換えた際にも、正立姿勢にて震動を感知可能な感震器を正立姿勢とするための特別な操作を要することなく、第１姿勢と第２姿勢とを切換えるべくアームの回動操作を行うだけで感震器を適正な姿勢とすることが可能となる。
【００２０】
本発明に係るガスメータの第３特徴構成は、上記第１又は第２特徴構成に加えて、前記ケーシングにおける前記底面に対向する壁面が、前記表示部の回動軌跡に沿う半円筒状に形成されている点にある。
【００２１】
すなわち、ケーシングにおける底面に対向する壁面を、アームに支持される表示部の回動軌跡に沿う半円筒状とすることで、表示部が前面の前面側に位置し、ガス入側接続部及びガス出側接続部がケーシング下側に位置する第１姿勢と、表示部が後面の裏面側に位置し、ガス入側接続部及びガス出側接続部がケーシング上側に位置する第２姿勢との間で切換えるべく、アーム及びそれに支持される表示部を回動操作自在な状態において、ケーシングの容積を最大にすることが可能となる。
【００２２】
本発明に係るガスメータの第４特徴構成は、上記第１〜第３特徴構成のいずれかに加えて、前記表示部を、前記第１姿勢又は前記第２姿勢のいずれかに保持する係止部が設けられている点にある。
【００２３】
すなわち、表示部を、前記第１姿勢又は前記第２姿勢のいずれかに保持することができるため、第１姿勢と第２姿勢とを切換えたときにも、表示部を適正な姿勢に保持しておくことが可能となる。
【図面の簡単な説明】
【００２４】
【図１】超音波式ガスメータの正面図
【図２】超音波式ガスメータの側面図
【図３】超音波式ガスメータの内部構成を示す図
【図４】超音波式ガスメータの第１姿勢を示す図
【図５】超音波式ガスメータの第２姿勢を示す図
【図６】膜式ガスメータを示す図
【図７】従来の超音波式ガスメータの内部構成を示す図
【図８】従来の超音波式ガスメータの取付け形態を示す図
【発明を実施するための形態】
【００２５】
次に、本発明を超音波式ガスメータに適用した場合の実施形態を図面に基づいて説明する。図１は、超音波式ガスメータの正面図、図２は同側面図である。
超音波式ガスメータ１０は、正面視で正面側に位置する前面１０Ａと、裏面側に位置する後面１０Ｂと、前面１０Ａと後面１０Ｂとを接続する一対の側面１０Ｓとを有するケーシングＣを備えている。ケーシングＣの底面１０Ｔには、ガス入管２１を接続するガス入側接続部２１Ｓとガス出管２２を接続するガス出側接続部２２Ｓとを備えている。
【００２６】
図３に示すように、ケーシングＣの内部には、一端側にガス入側接続部２１Ｓを備える入側管部３１、一端側にガス出側接続部２２Ｓを備える出側管部３２、及び、入側管部３１及び出側管部３２の他端側同士を連接する連結管部３３によって略Ｕ字状に形成されたガス流路部３０Ｕを備えている。ガス入側接続部２１Ｓ及びガス出側接続部２２Ｓは、ケーシングＣの底面１０Ｔに設けられた貫通孔に固定的に取付けられ、ガス入側接続部２１Ｓにガス入管２１が継手用ナットの螺合によって接続され、ガス出側接続部２２Ｓにガス出管２２が同様に継手用ナットの螺合によって接続されるように構成されている。
【００２７】
入側管部３１には、その内部のガスの通流を遮断する遮断弁４１が設けられている。また連結管部３３の内部における上流側端部には超音波受発信部Ｓ１が設けられ、下流側端部には超音波受発信部Ｓ２が設けられている。
【００２８】
図１〜３に示すように、一対の側面１０ＳにはケーシングＣの内外に貫通する状態で設けられた回動軸５０Ｊを回動自在に支持する支点部５０Ｓが設けられ、その回動軸５０ＪにおけるケーシングＣの外側部分に、回動軸５０Ｊと一体回動自在に接続された左右一対のアーム５０Ａが設けられている。左右一対のアーム５０Ａにおける支点部５０Ｓと逆の端部同士は、長尺板状の接続部材５０Ｂにて接続されている。これにより、回動軸５０Ｊと左右一対のアーム５０Ａと接続部材５０Ｂは、支点部５０Ｓを回動支点として、ケーシングＣに対して一体に回動することになる。
【００２９】
接続部材５０Ｂに支持される状態で、計量したガスの積算流量を表示する液晶式の表示部Ｈが設けられている。表示部Ｈは、図１に示すように、例えば７セグメント表示部を備えた液晶表示装置で構成され、小数点以上を４桁、小数点以下を３桁表示可能に構成されている。そして、表示部Ｈの上部Ｈｕが上端側に位置し、下部Ｈｄが下端側に位置する正立姿勢で、適正な表示（つまり、天地が逆転しない表示）が行えるように構成されている。
また、液晶表示装置は、信号用ケーブルによって制御基板Ｓと電気的に接続されている。なお、回動軸５０Ｊ及びアーム５０Ａは中空状に形成されており、制御基板Ｓから表示部Ｈに至る信号用ケーブルは、回動軸５０Ｊ及びアーム５０Ａの内部を通過する状態で配設されている。
【００３０】
図３に示すように、感震器Ｋが、ケーシングＣ内部に位置する状態で、回動軸５０Ｊと一体に回動するように設けられている。感震器Ｋは、その上部Ｋｕが上端に位置し、下部Ｋｄが下端に位置する正立姿勢で震動を検知可能に構成されている。
表示部Ｈと感震器Ｋとは回動軸５０Ｊの回動に対して同じ位相となるように構成され、表示部Ｈにおいて上部Ｈｕが上端に位置しかつ下部Ｈｄが下端に位置する状態では、感震器Ｋにおいても上部Ｋｕが上端に位置しかつ下部Ｋｄが下端に位置する状態となるように構成されている。
【００３１】
表示部ＨにおけるケーシングＣに対向する面には、係止部としてのストッパ磁石Ｈｓｔが取付けられている。また、ケーシングＣの前面１０Ａにおける表示部Ｈが位置すべき箇所には、ストッパ磁石Ｈｓｔと互いに引き合う状態で設けられたストッパ磁石１０Ａｓｔが取付けられ、後面１０Ｂにおける表示部Ｈが位置すべき箇所には、ストッパ磁石Ｈｓｔと互いに引き合う状態で設けられたストッパ磁石１０Ｂｓｔが取付けられている。これにより、表示部Ｈは、アーム５０Ａの回動操作に伴ってケーシングＣの前面１０Ａ側又は後面１０Ｂ側のいずれに移動された場合においても、表示部Ｈが位置すべき箇所に保持することができ、さらに、感震器Ｋが正立姿勢となる状態に保持することができるものとなる。
【００３２】
超音波受発信部Ｓ１及びＳ２は、ケーシングＣの内部に取付けられる制御基板Ｓに電気的に接続されている。制御基板Ｓは、超音波受発信部Ｓ１から発せられて超音波受発信部Ｓ２に至る超音波の伝播時間と、超音波受発信部Ｓ２から発せられて超音波受発信部Ｓ１に至る超音波の伝播時間との差より、連結管部１０３を通過するガスの瞬間流量を算出し、その瞬間流量からガスの積算流量を算出するように構成されている。
また、制御基板Ｓは、計測したガスの積算流量を、上述した表示部Ｈに表示させるべく、表示部Ｈに対して信号を送信するように構成されている。
【００３３】
また、制御基板Ｓは、弁制御用ケーブルによって上記遮断弁４１と電気的に接続され、遮断弁４１を開閉操作するための電力を供給するように構成されている。
そして、感震器Ｋが震動を検知すると、制御基板Ｓが、その検知信号に基づいて遮断弁４１を閉止するように構成されている。
【００３４】
ケーシングＣにおける底面１０Ｔに対向する壁面１０Ｒは、アーム５０Ａ及びそれに支持される表示部Ｈの回動軌跡に沿う半円筒状に形成されている。したがって、表示部Ｈは、回動軸５０Ｊの回転に従って、半円筒状に形成される壁面１０Ｒに沿って表示部Ｈが前面１０Ａの前面側、あるいは、後面１０Ｂの裏面側に配置可能となる。
【００３５】
（本発明に係る超音波式ガスメータの使用態様）
上記のように構成される、本発明に係る超音波式ガスメータの使用態様を、図４及び図５に基づいて説明する。
ガス入管２１及びガス出管２２を当該超音波式ガスメータ１０の下部側から接続する場合には、図４（ａ）及び（ｂ）に示すように、ケーシングＣを、底面１０Ｔがケーシング１０Ｃの下端側に位置する状態とする。そして、図４（ｂ）に示すように、アーム５０Ａを前面１０Ａ側に位置させ、表示部Ｈ側のストッパ磁石Ｈｓｔ及びケーシングＣ側のストッパ磁石１０Ａｓｔの作用によって前面１０Ａにおける所定の箇所に表示部Ｈが静止する状態にする。これにより、表示部Ｈが前面１０Ａの前面側に位置し、ガス入側接続部２１Ｓ及びガス出側接続部２２ＳがケーシングＣ下側に位置する第１姿勢とする状態において、表示部Ｈ及び感震器Ｋは、表示部Ｈにおける上部Ｈｕ及び感震器Ｋにおける上部Ｋｕが上端に位置し、表示部Ｈにおける下部Ｈｄ及び感震器Ｋにおける下部Ｋｄが下端に位置する正立姿勢とすることができる。
【００３６】
また、ガス入管２１及びガス出管２２を当該超音波式ガスメータ１０の上部側から接続する場合には、図５（ａ）及び（ｂ）に示すように、ケーシングＣを、底面１０Ｔがケーシング１０Ｃの上端側に位置する状態とする。そして、図５（ｂ）に示すように、アーム５０Ａを後面１０Ｂ側に位置させ、表示部Ｈ側のストッパ磁石Ｈｓｔ及びケーシングＣ側のストッパ磁石１０Ｂｓｔの作用によって後面１０Ｂにおける所定の箇所に表示部Ｈが静止する状態にする。これにより、表示部Ｈが後面１０Ｂの裏面側に位置し、ガス入側接続部２１Ｓ及びガス出側接続部２２ＳがケーシングＣ上側に位置する第２姿勢とする状態において、表示部Ｈ及び感震器Ｋは、表示部Ｈにおける上部Ｈｕ及び感震器Ｋにおける上部Ｋｕが上端に位置し、表示部Ｈにおける下部Ｈｄ及び感震器Ｋにおける下部Ｋｄが下端に位置する正立姿勢とすることができる。
【００３７】
また、上記第１姿勢と第２姿勢の切換えは、上述の如くアーム５０Ａを前面１０Ａと後面１０Ｂとの間で回動させるのみの簡単な操作のみでできるものとなり、そのようなに簡単な操作によって、表示部Ｈが前面１０Ａの前面側に位置し、ガス入側接続部２１Ｓ及びガス出側接続部２２ＳがケーシングＣ下側に位置する第１姿勢、及び、表示部Ｈが後面１０Ｂの裏面側に位置し、ガス入側接続部２１Ｓ及びガス出側接続部２２ＳがケーシングＣ上側に位置する第２姿勢のいずれの場合においても、表示部Ｈ及び感震器Ｋは、表示部Ｈにおける上部Ｈｕ及び感震器Ｋにおける上部Ｋｕが上端に位置し、表示部Ｈにおける下部Ｈｄ及び感震器Ｋにおける下部Ｋｄが下端に位置する正立姿勢とすることができるものとなる。また、表示部Ｈを第１姿勢又は第２姿勢のいずれかに保持する係止部としてのストッパ磁石Ｈｓｔ、１０Ａｓｔ、１０Ｂｓｔの作用により、表示部Ｈ及び感震器Ｋの正立姿勢を適正に保持することができるものとなる。
【００３８】
〔別実施形態〕
【００３９】
（１）上記実施形態においては、正立姿勢にて震動を感知可能な感震器Ｋを用いる構成としたが、そのような構成に限定されるものではなく、例えば、感震器Ｋとしてどのような姿勢においても震動を検知できるものを用いてもよい。
【００４０】
（２）上記実施形態においては、ケーシングＣにおける底面１０Ｔに対向する壁面１０Ｒを表示部Ｈの回動軌跡に沿う半円筒状に形成する構成を例示したが、このような構成に限定されるものではなく、支点部５０ＳをケーシングＣの上端又は下端に位置する状態とし、半円筒状の壁面１０Ｒを設けない構成としてもよく、壁面１０Ｒが表示部Ｈの回動軌跡の外方にはみ出さないように構成されていればよい。
【００４１】
（３）上記実施形態においては、表示部Ｈを第１姿勢又は第２姿勢のいずれかに保持する係止部として、表示部Ｈ側にストッパ磁石Ｈｓｔを設け、ケーシングＣ側にストッパ磁石１０Ａｓｔ及びストッパ磁石１０Ｂｓｔを設ける構成を例示したが、そのような構成に限定されるものではなく、例えば、ストッパ磁石Ｈｓｔ、又は、ストッパ磁石１０Ａｓｔあるいはストッパ磁石１０Ｂｓｔの一方側をストッパ磁石に吸着可能な金属片とするように構成してもよい。また、弾性片によって付勢された係止片の咬み合いによって表示部Ｈを第１姿勢又は第２姿勢のいずれかに保持するように構成する等、各種の係止構造を採用することができる。
【００４２】
（４）上記実施形態においては、本発明を超音波式ガスメータに適用した場合を説明したが、そのような構成に限定されるものではなく、超音波式ガスメータ以外にも、熱フローセンサを用いたガスメータ等、膜式ガスメータのように上下を反転させて用いることのできないガスメータ以外の種々のガスメータに対して適用することが可能である。
また、上記実施形態では、本発明をガスメータに適用した場合について説明したが、ガスメータに限定されるものではなく、ガス以外の各種流体の流量を測定する流量メータに適用してもよい。
【００４３】
（５）上記実施形態においては、ケーシングＣを構成するに、前面１０Ａ、後面１０Ｂ、一対の側面１０Ｓの全てを一体とし、ケーシングＣを構成した。しかしながら、例えば、一方の側面１０Ｓが前面１０Ａと一体に、他方の側面１０Ｓが後面１０Ｂと一体に構成され、これらの部材が組み合わされてケーシングＣを構成するものとしてもよい。さらに、前面１０Ａ、後面１０Ｂ、一対の側面１０Ｓがすべて別体とされ、これらが組み合わされてケーシングＣを構成するものとしてもよい。即ち、本願における、「正面視で正面側に位置する前面１０Ａと、裏面側に位置する後面１０Ｂと、前面１０Ａと後面１０Ｂとを接続する一対の側面１０Ｓとを有するケーシングＣ」なる記載において、前面１０Ａと、後面１０Ｂと、一対の側面１０Ｓとに関する「接続」なる記載は、これら全てが一体とされる構成のほか、任意の部位（あるいは部位の組み合わせ）を別体に形成し、別体を組み合わせた構成も含む。
【産業上の利用可能性】
【００４４】
本発明によれば、表示部Ｈにおけるガスの積算流量の表示が適切に行える状態で、ガス入管２１及びガス出管２２をガスメータの上部側から接続する姿勢と下部側から接続する姿勢とに容易に切換えることが可能なガスメータを提供することができる。
【符号の説明】
【００４５】
１０          超音波式ガスメータ
１０Ａ        前面
１０Ｂ        後面
１０Ｃ        ケーシング
１０Ｒ        壁面
１０Ｓ        側面
１０Ｔ        底面
２１          ガス入管
２１Ｓ        ガス入側接続部
２２          ガス出管
２２Ｓ        ガス出側接続部
５０Ａ        アーム
５０Ｊ        回動軸
５０Ｓ        支点部
Ｃ            ケーシング
Ｈ            表示部
Ｋ            感震器
【図１】
0005975693.tif 000002
【図２】
0005975693.tif 000003
【図３】
0005975693.tif 000004
【図４】
0005975693.tif 000005
【図５】
0005975693.tif 000006
【図６】
0005975693.tif 000007
【図７】
0005975693.tif 000008
【図８】
0005975693.tif 000009